(57)【要約】      （修正有）【課題】水の補給作業を不要とし、余剰動力である圧縮空気を用いて栽培室内の湿度調整を容易に行なうことが可能な低コストの茸栽培室用加湿器を提供する。【解決手段】コンプレッサからの圧縮空気を動力源として用いる茸栽培室用加湿器１００であって、コンプレッサからの圧縮空気を入力するエア入力部２２と、水道管に接続された給水管を接続する水入力部２４と、本体部１０に収容され、大気圧に開放されていると共に、フロート弁が内蔵され、水入力部２４から供給された水道水を所要量貯留する水タンクと、エア入力部２２および水入力部２４からそれぞれ取り込まれた圧縮空気および水を混合し、ミスト化して噴射口から噴射する複数のノズル３０と、を有し、水タンクは、ノズル３０と水チューブ３６を介して接続されていて、ノズル３０の噴射口により生じる負圧により水をノズル３０に供給する。【選択図】図２
0003163520.tif 000002
【実用新案登録請求の範囲】
【請求項１】
コンプレッサからの圧縮空気を動力源として用いる茸栽培室用加湿器であって、
前記コンプレッサに接続されたエア供給管を接続するエア入力部と、
水道管に接続された給水管を接続する水入力部と、
本体部に収容され、大気圧に開放されていると共に、フロート弁が内蔵され、前記水入力部から供給された水道水を所要量貯留する水タンクと、
前記エア入力部および前記水入力部からそれぞれ取り込まれた圧縮空気および水を混合し、ミスト化して噴射口から噴射する複数のノズルと、を有し、
前記水タンクは、前記ノズルと水チューブを介して接続されていて、前記ノズルの噴射口により生じる負圧により水をノズルに供給することを特徴とする茸栽培室用加湿器。
【請求項２】
前記複数のノズルは、噴射口が前記本体に対して斜め上方に向けられていると共に、前記本体部に回転可能に設けられたステーに着脱自在に保持されていることを特徴とする茸栽培室用加湿器。
【請求項３】
前記水チューブと、前記エア入力部から供給された圧縮エアを前記ノズルに供給するエアチューブとを前記ノズルに引き出しするためのチューブ連通孔が前記本体部の複数個所に配設されていることを特徴とする請求項１記載の茸栽培室用加湿器。
【請求項４】
前記水タンクは、前記本体部に着脱自在であり、且つ、前記フロート弁が取り付けられた蓋体と、タンク本体とに分解可能であることを特徴とする請求項１〜３のうちのいずれか一項に記載の茸栽培室用加湿器。
【考案の詳細な説明】
【技術分野】
【０００１】
本考案は、茸栽培室用加湿器に関する。
【背景技術】
【０００２】
茸の人工栽培を行う際には、湿度管理がきわめて重要になることは広く知られている。茸の人工栽培においては、およそ２０日間の栽培期間のうち、１４日間以上にわたって高湿度状態を維持しなければならず、茸栽培室内への加湿器の設置は必須である。
このような茸栽培室に設置するための加湿器としては、例えば、非特許文献１や非特許文献２に開示されているようなものが知られている。
【先行技術文献】
【非特許文献】
【０００３】
【非特許文献１】株式会社いけうち“ドライフォグ加湿器（静電気防止・冷却・調湿）”、AKIMist(R)"E"(アキミスト（登録商標）Ｅ)ドライフォグ 加湿器配管接続方法 、［online］、［平成２２年６月２３日検索］、インターネット＜URL：http://dryfog.kirinoikeuchi.co.jp/product/akimiste.html＞
【非特許文献２】株式会社いけうち“ポータブル加湿セット（静電気防止・冷却・調湿）”、ＡE−Ｔ  ドライフォグポータブル加湿セットセット内容 、［online］、［平成２２年６月２３日検索］、インターネット＜URL：http://dryfog.kirinoikeuchi.co.jp/product/aet_adt_act.html＞
【考案の概要】
【考案が解決しようとする課題】
【０００４】
非特許文献１に開示されている加湿器は、いわゆる天井吊り下げ方式で、噴霧角度を調節するためのアダプタが取り付け可能である構成を有しており、作業空間において邪魔にならず、広範囲にわたってミストを噴射することができ好都合である。しかしながら天井吊り下げ方式の加湿器では、いわゆるワンルーム栽培室と呼ばれるような狭い栽培室への適用は設置コストがかかりすぎるため非現実的である。また、噴射されたミストは直ちに落下するため栽培室内での浮遊時間が短くなり、栽培室内の湿度調整が困難になることが多い。
【０００５】
これに対して非特許文献２に開示されている加湿器は、可搬式の構成が採用されているため、ワンルーム栽培室のような小規模な栽培室での使用が現実に可能である。しかしながら、このような可搬式の加湿器における水の供給は水タンクによりなされている。このため、水タンクには頻繁に水の補給が必要になるため煩雑であり、水の補給を忘れてしまうと栽培室内の湿度が低下し、茸の人工栽培を失敗してしまうという危険がある。
【０００６】
そこで本願考案は、小規模な栽培室であっても、コンプレッサからの圧縮空気を動力源として供給するエア供給管が引き込まれていることに注目し、このエア供給管に接続して用いる可搬式の茸栽培室用加湿器に関するものである。具体的には、水の補給作業を不要とし、余剰動力である圧縮空気を用いて栽培室内の湿度調整を容易に行なうことが可能な低コストの茸栽培室用加湿器の提案を目的としている。
【課題を解決するための手段】
【０００７】
上記課題を解決するために本考案者は鋭意研究を行った結果、以下の構成に想到した。
すなわち、コンプレッサからの圧縮空気を動力源として用いる茸栽培室用加湿器であって、前記コンプレッサに接続されたエア供給管を接続するエア入力部と、水道管に接続された給水管を接続する水入力部と、本体部に収容され、大気圧に開放されていると共に、フロート弁が内蔵され、前記水入力部から供給された水道水を所要量貯留する水タンクと、前記エア入力部および前記水入力部からそれぞれ取り込まれた圧縮空気および水を混合し、ミスト化して噴射口から噴射する複数のノズルと、を有し、前記水タンクは、前記ノズルと水チューブを介して接続されていて、前記ノズルの噴射口により生じる負圧により水をノズルに供給することを特徴とする。
【考案の効果】
【０００８】
本考案にかかる茸栽培室用加湿器の構成によれば、水を補給する手間をかけることなく連続運転が可能であり、茸栽培室内を常に均一な湿度に維持することが容易になる。また、余剰動力であるコンプレッサからの圧縮空気を動力源として用いているため、既存の設備を有効利用することができ、低コストでの運用が可能である。
【図面の簡単な説明】
【０００９】
【図１】本実施形態における茸栽培室用加湿器の斜視図である。
【図２】図１中の本体部の側面図である。
【図３】ノズルを回転させた状態の一例を示す斜視図である。
【図４】本体部の底板を取り外した状態における底面図である。
【図５】水タンクの斜視図である。
【図６】水タンクの蓋体を示す斜視図である。
【考案を実施するための最良の形態】
【００１０】
以下、本考案にかかる茸栽培室用加湿器の実施形態について図面に基づいて説明する。図１は、本実施形態における茸栽培室用加湿器の斜視図である。図２は、図１中の本体部の側面図である。図３は、ノズルを回転させた状態の一例を示す斜視図である。
図１および図２に示すように、本実施形態にかかる茸栽培室用加湿器１００は、持ち運び可能な大きさに形成された本体部１０と、エア入力部２２と水入力部２４と、本体部１０の上面位置に配設されたノズル３０を有している。
【００１１】
図１および図２に示すように、本体部１０は側面視した際に、底面側が水平面をなし、底面に対して直立する側面を有する六角形状に形成された本体カバー１２と、本体カバー１２の底面開口部に着脱自在に装着される底板１４と、本体カバー１２の両側面に取り付けられた回動可能な取手１６を有している。本実施形態における本体カバー１２、底板１４、取手１６はそれぞれ高湿度環境下で用いられるため、耐腐食性に優れたステンレス鋼板（ＳＵＳ３０４）により形成したが、本体部１０の素材はこのステンレス鋼板に限定されるものではない。
【００１２】
図２および図３に示すように、本体部１０（本体カバー１２）の側面には、コンプレッサからの圧縮空気を取り込むエア入力部２２と水源である水道管からの水道水を取り込む水入力部２４とを有している。エア入力部２２と水入力部２４の接続部分はそれぞれプラグ形状に形成されており、コンプレッサおよび水道管に接続されたエア供給管および給水管（いずれも図示せず）は、ワンタッチ操作でエア入力部２２と水入力部２４の接続部分に着脱することができる。エア入力部２２と水入力部２４はそれぞれ、本体部１０に内蔵された電磁弁（２６）と水タンク（４０）に接続されている。
また、本体部１０の側面には電源コード６０が接続されている。電源コード６０は茸栽培室用加湿器１００の動作を制御するための湿度センサや作動タイマー等でオンオフ制御された電源装置（いずれも図示せず）に接続されている。茸栽培室用加湿器１００を単純に連続運転させる場合には、電源コード６０および湿度センサや作動タイマー等は不要である。
【００１３】
本体部１０の上面にはノズル３０を保持するステー３２が取り付けられている。ステー３２は本体カバー１２の上面の水平面において、水平面内に回転自在に取り付けられている。各ステー３２には、ミストの噴射口を本体部１０から斜め上側に向けた状態でノズル３０が取り付けられている。
ノズル３０には、エアチューブ３４と水チューブ３６の一端部がそれぞれ接続されている。エアチューブ３４と水チューブ３６は、ノズル３０に形成されたプラグ状部に接続されている。エアチューブ３４と水チューブ３６の他端部は、本体部１０に形成されたノズル連通孔１８を介して本体部１０内の電磁弁（２６）と水タンク（４０）に接続されている。
【００１４】
本実施形態のような本体部１０に対するノズル３０レイアウトを採用することで、茸栽培室内におけるミストの浮遊時間を長くすることができ、茸栽培室内における湿度調整を容易に行なうことができる点が好都合である。また、ノズル３０からミストが噴射されると茸栽培室内の空気が噴射されたミストによって誘導され、茸栽培室内の空気もミストと同様に下方側から上方側に向かって対流することになる。これにより、茸栽培室内の空気が茸栽培室内で循環し、茸栽培室内における温度差が解消され、茸栽培室内における温度調整も容易に行なうことができる。
【００１５】
ノズル連通孔１８は図２および図３に示すように、本体カバー１２の２つの傾斜面のそれぞれにステー３２の配設位置に対して２箇所ずつ配設されている。本実施形態においては、ノズル連通孔１８は本体部１０の図面奥行き方向に２箇所に設けられており、全体では４箇所に配設されている。これによりノズル３０の取り付け状態に応じて、エアチューブ３４と水チューブ３６を引き出すノズル連通孔１８を適宜選択することができ、本体部１０の内部から引き出された後、ノズル３０に接続されるエアチューブ３４と水チューブ３６の屈曲が防止される。
【００１６】
図４は本体部１０から底板１４を取り外した状態における茸栽培室用加湿器１００の底面図である。図５は、水タンク４０の斜視図である。図６は水タンク４０の蓋体４４を示す斜視図である。
本体部１０の内部空間には水タンク４０が収容されている。水タンク４０は取付用ステー４８を本体カバー１２の内壁面にネジ止めして本体部１０に着脱自在に取り付けられている。水タンク４０は、タンク本体４２とタンク本体４２に着脱自在な蓋体４４とを有している。
【００１７】
図４中の符号２６は、ノズル３０へのエア供給をオンオフ制御するための電磁弁である。電磁弁２６はエア入力部２２とエアチューブ３４の途中位置に配設され、電源コード６０を介して図示しない電源装置から供給される電源のオンオフにより開閉作動する。エア入力部２２から常時入力されるコンプレッサからの圧縮空気は、この電磁弁２６の開閉動作を切り替えすることによりエアチューブ３４への供給がオンオフ切り替えされる。
上述のとおり、コンプレッサからは常時圧縮空気が供給されているから、茸栽培室用加湿器１００を連続運転する際には、電源コード６０および電源装置と同様に、電磁弁２６の配設を省略することができる。この場合、エア入力部２２とエアチューブ３４は互いに直結するか、コンプレッサに接続されたエア供給管を直接ノズル３０に接続させることになる。この場合、ノズル３０に形成されたエアチューブ３４を接続させる部分がエア入力部となる。
【００１８】
図４および図５に示すように、蓋体４４には、水入力部２４から供給される水道水を水タンク４０に供給するための水入力口４９Ａと、水タンク４０内において大気圧に開放した状態で貯留させた水をノズル３０に供給するための水チューブ３６が接続される水出力口４９Ｂが配設されている。水出力口４９Ｂも接続部分がプラグ形状に形成されている。
タンク本体４２には、エア排出口４９Ｃが設けられていて、水タンク４０内の内圧によりノズル３０への意図しない水の供給を防止している。このエア排出口４９Ｃもまた、接続部分がプラグ形状に形成されている。ここでエア排出口４９Ｃにチューブの一端部を接続して、チューブの他端部を本体部１０の外部に引き出しておけば、エア抜きはもちろんのこと、水タンク４０のオーバーフロー対策にもなる。これにより、後述するフロート弁４６が故障した際の水タンク４０の漏水を防止することもできる。
【００１９】
図６に示すように、蓋体４４の内部側にはフロート弁４６が取り付けられている。フロート弁４６は、フロート部４６Ａとフロート部４６Ａに連結された弁体４６Ｂにより形成され、弁体４６Ｂが水入力口４９Ａの開閉状態の切り替え動作を制御している。このようなフロート弁４６を水タンク４０に装着することにより、水道水が常時供給される水道管に連結された給水管を水タンク４０に直結させても、水タンク４０への水道水の供給を間欠的に行なうことができる。これにより可搬式の茸栽培室用加湿器１００であっても水の補給作業を不要にすることができ、茸栽培室用加湿器１００の運用において大幅な省力化が可能になる。
【００２０】
以上に説明した茸栽培室用加湿器１００の動作について説明する。
茸栽培室用加湿器１００を茸栽培室の所用位置に配設し、茸栽培室内に引き込まれているエア供給管をエア入力部２２に、水道に接続された水供給管を水入力部２４にそれぞれ接続する。必要に応じて電源コード６０を電源装置に接続する。栽培室内のレイアウトに応じてステー３２を任意の向きに回動させてノズル３０の噴射口の向きを調整する。通常は図２に示すように、本体部１０を側面視した際に、ノズル３０の噴射口が互いに逆向きとなるような配列にして、本体部１０を基点としてミストを略Ｖ字状に噴射させることが好適である。この他、図３に示すように、本体部１０を平面視した際に、ノズル３０の噴射口の向きを水平面内においてそれぞれ９０度回転させた配列を採用することも可能である。本体部１０に対するノズル３０取り付け状態が決まったら、ステー３２の取り付けネジを増し締めする等して、本体部１０へのステー３２（ノズル３０）の取り付け状態を固定することもできる。
【００２１】
エア入力部２２にエア供給管が接続されると、電磁弁２６およびエアチューブ３４を経由してノズル３０にコンプレッサからの圧縮エアが供給される。また、水入力部２４に給水管が接続されると、水タンク４０に所要量の水道水が大気圧の開放された状態で一時貯留される。水タンク４０にはフロート弁４６が内蔵されているので、水タンク４０内には所定量に水道水が貯留されるとフロート部４６Ａが水面と共に上昇し、弁体４６Ｂにより水タンク４０の水取込口４９Ａが閉塞される。
【００２２】
エアチューブを介してノズル３０に供給されたコンプレッサからの圧縮エアは、ノズル３０の噴射口から勢いよく噴射されている。このため、ノズル３０の噴射口側の圧力が低下し、水タンク４０に貯留されている大気圧に開放された水道水は、負圧により水出力口４９Ｂおよび水チューブ３６を経由してノズル３０に吸い上げられることになる。ノズル３０に吸い上げられた水タンク４０内の水道水は、ノズル３０の噴射口から噴射されている圧縮空気のベンチュリ効果によりミスト化された状態で噴射口からエアと共に噴射される。
【００２３】
ノズル３０の噴射口からミストが噴射され、水タンク４０内の水道水の貯留量が減少するのに伴い、フロート部４６Ａが水タンク４０内における水面と共に低下して弁体４６Ｂを開く。弁体４６Ｂが開くと給水管からは常時給水されているため、水入力口４９Ａから水タンク４０に水道水が取り込まれることになる。このように、常時給水状態の給水管が水タンク４０に連結された状態であっても、水タンク４０へは間欠的に水道水が供給されることになるから水タンク４０の水が溢れてしまうことはない。
これとは逆に、常時給水状態の給水管が水タンク４０に接続されているので、水タンク４０への水道水の補給は自動的に行なわれることになる。これにより給水作業が不要であり、茸栽培に用いられる加湿器のように、長期間にわたる連続使用においてはきわめて使い勝手が良好になる。
【００２４】
もし、フロート弁４６が何らかの原因により破損した場合でも、水タンク４０に設けたエア排出口４９Ｃに接続したチューブが本体部１０の外部に引き出されているので、水タンク４０から溢れた水は本体部１０の外部に排水されるので、漏水による故障を防止することができる。
また、水タンク４０は本体部１０に着脱自在であると共に、タンク本体４２と蓋体４４とに分解可能であるため、水タンク４０の内部洗浄が容易であり、清浄なミストを噴射させる必要がある茸栽培室用加湿器１００において特に好都合である。
【００２５】
以上に本実施形態に基づいて本願考案について詳細に説明をしたが、本考案の技術的範囲は、以上の実施形態に限定されるものではなく、考案の要旨を変更しない範囲において各種の改変を施しても本考案の技術的範囲に属するのはいうまでもない。例えば、以上に示した実施形態では、本体部１０に２つのノズル３０を配設した形態について例示しているが、本体部１０へのノズル３０の配設数は３つ以上としても良い。また、水入力部２４への水道水からの水を供給しているが、水道水以外の清浄水を供給しても良い。さらには、水入力部２４に複数の給水管を接続しておき、状況に応じて給水すべき給水管を切り替え可能にする切替弁が配設された形態を採用しても良い。
さらには、ノズル３０からのミスト噴射のオンオフ動作を制御するための、電磁弁２６と、加湿センサまたはタイマー等を有する制御部を使用する場合の駆動源としては、商用電源やバッテリなどの公知の電源装置を適宜使用する形態を採用することも可能である。
【符号の説明】
【００２６】
１０  本体部
１２  本体カバー
１８  ノズル連通孔
２２  エア入力部
２４  水入力部
２６  電磁弁
３０  ノズル
３２  ステー
３４  エアチューブ
３６  水チューブ
４０  水タンク
４２  タンク本体
４４  蓋体
４６  フロート弁
４６Ａ  フロート部
４６Ｂ  弁体
４８  取付用ステー
４９Ａ  水入力口
４９Ｂ  水出力口
４９Ｃ  エア排出口
６０  電源コード
１００  茸栽培室用加湿器
【図１】
0003163520.tif 000003
【図２】
0003163520.tif 000004
【図３】
0003163520.tif 000005
【図４】
0003163520.tif 000006
【図５】
0003163520.tif 000007
【図６】
0003163520.tif 000008
【手続補正書】
【提出日】平成22年8月18日(2010.8.18)
【手続補正１】
【補正対象書類名】実用新案登録請求の範囲
【補正対象項目名】請求項２
【補正方法】変更
【補正の内容】
【請求項２】
前記複数のノズルは、噴射口が前記本体に対して斜め上方に向けられていると共に、前記本体部に回転可能に設けられたステーに着脱自在に保持されていることを特徴とする請求項１記載の茸栽培室用加湿器。